(57)【要約】【課題】  ハウリングを発生し難くすることができる集音器を提供する。【解決手段】  集音器１は、本体と、外部の音声を電気信号に変換するマイクロホン９と、マイクロホン９からの電気信号を増幅する増幅する増幅回路３７と、増幅回路３７で増幅された増幅信号を増幅音声として出力するスピーカ１１と、本体に設けられ、スピーカ１１が略中央部に配置された耳当て部と、耳当て部が押圧されることにより増幅手段がオン状態となる押圧スイッチ２５と、押圧スイッチ２５がオン状態になってからスピーカ１１が増幅音声を出力するまでの時間を遅延させる遅延回路３９と、を備えている。【選択図】  図１３
2006115010.tif 000002
【特許請求の範囲】
【請求項１】
本体と、
前記本体に設けられ外部の音声を電気信号に変換するマイクロホンと、
前記マイクロホンからの電気信号を増幅する増幅する増幅手段と、
前記増幅手段で増幅された増幅信号を増幅音声として出力するスピーカと、
前記本体に設けられ、前記スピーカが略中央部に配置された耳当て部と、
前記耳当て部が押圧されることにより前記増幅手段がオン状態となる押圧スイッチと、
前記押圧スイッチがオン状態になってから前記スピーカが前記増幅音声を出力するまでの時間を遅延させる遅延手段と、を備えたことを特徴とする集音器。
【請求項２】
前記マイクロホンと前記耳当て部とが、互いに前記本体の表裏の位置に設けられたことを特徴とする請求項１に記載の集音器。
【発明の詳細な説明】
【技術分野】
【０００１】
本発明は、マイクロホンから入力された音声を、増幅してスピーカから出力する集音器に関するものである。
【背景技術】
【０００２】
従来、この種の集音器としては、例えば特許文献１に記載のものが知られている。この集音器では、音声が入力されるマイクロホンと増幅された音声が出力されるスピーカとが近傍に設けられることで、ユーザが音の方向を把握し易くしている。しかしながら、この集音器では、マイクロホンとスピーカとが近傍に位置し、スピーカからの音声が再びマイクロホンに回り込み易いため、ハウリングが発生しやすいという問題点がある。
【特許文献１】特開２００２−３６９２９５号公報
【発明の開示】
【発明が解決しようとする課題】
【０００３】
このようなハウリングを抑制するため、スピーカに耳当て部を設け、その耳当て部がユーザの耳に当てられることにより、集音器の機能がオンとなるように構成することが考えられる。このような構成によれば、耳当て部がユーザの耳に当てられてから、スピーカが増幅音声を発することになるので、スピーカからの音声がマイクロホンに回り込み難くなり、ハウリングを抑制することができる。
【０００４】
しかしながら、このような集音器によっても、ハウリングの抑制は十分ではなく、耳と耳当て部との隙間から漏れたスピーカの音声がマイクロホンに回り込むことで、ハウリングが発生する場合がある。
【０００５】
本発明は、ハウリングを発生し難くすることができる集音器を提供することを目的とする。
【課題を解決するための手段】
【０００６】
本発明の集音器は、ユーザがスピーカからの増幅音声を聞くため耳当て部を耳に押し当てるようにして使用される。このような集音器において問題となるハウリングは、スピーカから出力される音声が耳と耳当て部との隙間から漏れ、再びマイクロホンに入ってしまうことにより発生する。そして、このような集音器においては、ユーザの耳に当てられて耳当て部が押圧されてから、耳と耳当て部との隙間から音声が漏れない程度に押し当てられるまでの間には、ある程度のタイムラグがあることに本発明者らは着目した。
【０００７】
本発明の集音器は、本体と、本体に設けられ外部の音声を電気信号に変換するマイクロホンと、マイクロホンからの電気信号を増幅する増幅する増幅手段と、増幅手段で増幅された増幅信号を増幅音声として出力するスピーカと、本体に設けられ、スピーカが略中央部に配置された耳当て部と、耳当て部が押圧されることにより増幅手段がオン状態となる押圧スイッチと、押圧スイッチがオン状態になってからスピーカが増幅音声を出力するまでの時間を遅延させる遅延手段と、を備えたことを特徴とする。
【０００８】
ユーザがこの集音器の使用を開始する際、スピーカから音声が出力されない状態で、耳当て部を耳に押し当てる。そして、耳当て部が押圧されることにより、押圧スイッチで増幅手段の動作がオンとなる。そして、スピーカからは増幅手段によって増幅された増幅音声が、遅延手段による所定の時間経過後に出力され始めることになる。この集音器によれば、遅延手段による上記所定の時間の間に、耳当て部がユーザの耳にさらに強く押し当てられることとなるので、スピーカから出力される音声が、耳と耳当て部との隙間から漏れ難くなり、ハウリングを発生し難くすることができる。
【０００９】
また、本発明の集音器では、マイクロホンと耳当て部とが、互いに本体の表裏の位置に設けられることが好適である。このようにすれば、耳当て部がユーザの耳に向けられ、マイクロホンがその反対の方向に向けられて使用されることになるため、使用状態において、ユーザ自身の声がマイクロホンに入りにくく、良好な増幅音声が得られる。
【発明の効果】
【００１０】
本発明の集音器によれば、ハウリングを発生し難くすることができる。
【発明を実施するための最良の形態】
【００１１】
以下、図面を参照しつつ本発明に係る集音器の好適な実施形態について詳細に説明する。
【００１２】
図１〜図８に示す集音器１は、本体３の正面側上部に耳当て部７、背面側上部にマイクロホン９を備えており、本体３の把持部５を把持しつつ耳当て部７を耳に当てて使用するタイプの集音器である。集音器１は、マイクロホン９から入力された外部の音声を増幅し、耳当て部７の略中央に配置され当該耳当て部７に覆われたスピーカ１１から増幅音声を出力する。耳当て部７には、細孔７ａが設けられており、スピーカ１１からの増幅音声は、細孔７ａを介してユーザの耳に届くことになる。耳当て部７とマイクロホン９とは、本体３の表裏となる位置関係に設けられていることから、使用状態においてはマイクロホン９が耳当て部７の反対方向、すなわちユーザの口から離れる方向に向けられる。このため、ユーザ自身の声がマイクロホン９に入り難く、スピーカ１１からは良好な音声が得られる。また、本体３の側面には、ボリューム兼用タイプの電源スイッチ１３が設けられている。電源スイッチ１３がオンにされることで、集音器１が使用可能となる。また、電源スイッチ１３は、スピーカ１１から出力される増幅音声のボリュームを調整する機能を兼ね備えている。
【００１３】
集音器１は、内蔵するバッテリ２７（図１３参照）からの電力によって駆動する。バッテリ２７は、本体３の下部に露出して設けられた充電端子２９を介して図９及び図１０に示すような充電器３３によって充電される。図に示すように、充電状態においては、集音器１が立った状態で充電器３３に保持されるので、ユーザが充電器３３から手に取ること、及び充電器３３に戻すことが容易である。このことで、ユーザが集音器１を使用した後に充電器３３に戻すことを促すことができるので、集音器１の良好な充電状態を維持することが容易となり、集音器１を多数のユーザ間で共有する場合にも管理が容易になる。
【００１４】
集音器１の本体３の耳当て部７の下方には、凸条部１５が形成され、本体３の上部両側面には凸部として構成される複数の指がかり部１７が形成されている。これらの凸条部１５、指がかり部１７は、ユーザが本体３を把持した場合の滑り止めとして機能する。また、本体３のマイクロホン９の下方には、窪み部１９が形成されている。ユーザが本体３の下部を把持した場合には、ユーザの人差し指が窪み部１９に誘導されるので、把持時の人差し指の適切な力が本体３に伝わることになる。以上のような本体３の形状は、ユーザに適切な状態で把持させ、耳当て部７をユーザの耳に適切な力を持って押し当てさせることで、ハウリングの抑制に寄与している。また、ユーザの指がマイクロホン９に触れた時にはハウリングが発生し易いが、この集音器１ではユーザの人差し指が窪み部１７に誘導されることから、人差し指がマイクロホン９に触ることが抑制され、このことによってもハウリングの抑制が図られる。また、本体３上部には、使用時の落下防止のためのストラップが取付可能なストラップ取付部２１が形成されている。
【００１５】
耳当て部７は、本体３に対してわずかなストロークで出入りする方向に可動に設けられており、本体３から外側に向けてばね等の付勢手段により付勢されている。そして、ユーザの耳によって押圧されると本体３内側に向けてわずかに押し下げられ、押圧力が開放されると付勢力によって元の位置に復帰する。そして、この耳当て部７の直下には、ばね復帰型のプッシュスイッチ（押圧スイッチ）２５が設けられており、耳当て部７が押し下げられることにより接点が接触し、復帰すると接点が離れるように構成されている。すなわち、このプッシュスイッチ２５は、耳当て部７が押圧されることでオン状態となり、押圧が開放されることで付勢力によりオフ状態となる。そして、スピーカ１１からの増幅音声は、このプッシュスイッチ２５がオン状態の時のみ出力され、オフ状態の時には出力されない。このような構成により、ユーザは、耳当て部７を耳に押し当てることで、集音器１の拡声機能を開始させることができる。
【００１６】
また、図１１及び図１２に示すように、耳当て部７の表面側には凹部７ｂが形成されている。ユーザの耳によって耳当て部７が押圧された際、この凹部７ｂの周囲の肉厚部７ｃとユーザの耳とが密着することにより、ユーザの耳と耳当て部７とに囲まれ閉ざされた空間が形成され、スピーカ１１からの音声はこの空間を介してユーザの耳に届くことになる。耳当て部７は、エストラマー等の弾性材料で形成されており、押圧を受けることで耳の形に沿って変形するので、耳との隙間が小さくなるように密着することが可能である。その結果、耳との隙間からスピーカ１１の音声が漏れることが抑制され、ハウリングを発生し難くすることができる。
【００１７】
図１３に示すように、このような集音器１においては、電源スイッチ１３がオンとされた状態で、ユーザが耳当て部７を耳に押し当てて押圧すると、プッシュスイッチ２５がオン状態となり、増幅回路３７及び遅延回路３９にバッテリ２７からの電圧が供給され動作を開始する。このとき、マイクロホン９は、外部から入力された音声を電気信号に変換し、増幅回路３７へ送る。オペアンプ等を含んで構成される増幅回路３７は、受けた電気信号を増幅し、この増幅信号をスピーカ１１へ送る。このとき、ＣＲ回路等を含んで構成される遅延回路３９は、増幅回路３７の増幅信号に対応し、所定の遅延時間（ここでは、８２ミリ秒）をかけて増幅信号を立ち上げる。そして、スピーカ１１は受けた増幅信号を音声に変換して出力し始める。このようにして、集音器１では、プッシュスイッチ２５がオン状態になってから、スピーカ１１が増幅音声を出力するまでの時間を遅延させている。
【００１８】
このような増幅回路３７及び遅延回路３９を含む集音器１の回路の一例を説明する。遅延回路３９はＩＣ及びコンデンサを有しており、このコンデンサの静電容量Ｃが大きくなるほど遅延回路３９の時定数が大きくなり、ＩＣが動作するまでの時間が長くなることで、上記の遅延時間が大きくなるように構成される。このような回路においては、図１４に示すように、例えば、コンデンサの静電容量Ｃが１μＦの場合には、遅延時間が３６ミリ秒であるが、この集音器１では、コンデンサの静電容量Ｃとして３．３μＦを採用し、遅延時間を８２ミリ秒としている。こうして、プッシュスイッチ２５がオン状態になってから、スピーカ１１が増幅音声を出力するまでの時間を８２ミリ秒としている。
【００１９】
このような集音器１によれば、ユーザが集音器１の使用を開始する際、スピーカ１１から音声が出力されていない状態で、耳当て部７を耳に押し当てる。そして、その８２ミリ秒経過後に、スピーカ１１から増幅された音声が出力され始めることになる。このように、耳当て部７を耳に押し当てた直後、耳と耳当て部７との間の隙間が十分に小さくない間は、スピーカ１１から音声が出力されないので、ハウリングが起こらない。そしてその後、上記の８２ミリ秒が経過する間に、耳当て部７がユーザの耳にさらに強く押し当てられて耳との隙間が小さくなるので、スピーカ１１から出力される音声が、耳と耳当て部７との隙間から漏れ難くなり、ハウリングが発生し難くなる。
【図面の簡単な説明】
【００２０】
【図１】実施形態に係る集音器を正面側から見た斜視図である。
【図２】図１の集音器を背面側から見た斜視図である。
【図３】図１の集音器の正面図である。
【図４】図１の集音器の背面図である。
【図５】図１の集音器の右側面図である。
【図６】図１の集音器の左側面図である。
【図７】図１の集音器の平面図である。
【図８】図１の集音器の底面図である。
【図９】図１の集音器及び充電器を正面側から見た斜視図である。
【図１０】図１の集音器及び充電器を背面側から見た斜視図である。
【図１１】図１の集音器の耳当て部を示す正面図である。
【図１２】図１の集音器の耳当て部を示す断面図である。
【図１３】図１の集音器の構成を示すブロック図である。
【図１４】図１の集音器の動作を示すタイミング図である。
【符号の説明】
【００２１】
１…集音器、３…本体、７…耳当て部、９…マイクロホン、１１…スピーカ、２５…プッシュスイッチ（押圧スイッチ）、３７…増幅回路、３９…遅延回路。
【図１】
2006115010.tif 000003
【図２】
2006115010.tif 000004
【図３】
2006115010.tif 000005
【図４】
2006115010.tif 000006
【図５】
2006115010.tif 000007
【図６】
2006115010.tif 000008
【図７】
2006115010.tif 000009
【図８】
2006115010.tif 000010
【図９】
2006115010.tif 000011
【図１０】
2006115010.tif 000012
【図１１】
2006115010.tif 000013
【図１２】
2006115010.tif 000014
【図１３】
2006115010.tif 000015
【図１４】
2006115010.tif 000016